(57)【要約】      （修正有）【課題】オゾン水を超音波振動を経て霧化し、水に含まれる有毒物質と細菌を除去し、オゾン水を分解してオゾンミストとし、美白、空気清淨に用い、さらに浄水ポットを通して、不純物、重金属、石灰及び塩素をろ過し、飲用水とする超音波オゾン水霧化処理二段階分離式浄水器を提供する。【解決手段】ベース１内にオゾン混合器２、回路制御ユニット５と進気ユニット７を設置し、サポート棒１３上に連接台１５を設置し、連接台１５内にオゾン発生器３と超音波振動ユニット４を設置する。霧化ユニット６を連接台１５上に設置し、オゾン混合器２とオゾン発生器３を利用しオゾン水を発生させ、霧化ユニット６内に流入させるとともに、超音波振動ユニット４で霧化し、水中の総トリハロメタン、亜硝酸性窒素と細菌等有毒物質を除去し、浄水ポット８を経て水中の不純物、石灰、重金属及び塩素を除去する。【選択図】図３
0003164212.tif 000002
【実用新案登録請求の範囲】
【請求項１】
ベース、オゾン混合器、オゾン発生器、超音波振動ユニット、回路制御ユニット、霧化ユニット、進気ユニット、浄水ポットを備え、
前記ベース内部には、収容設置空間を設置し、前記ベース外縁には、少なくとも１個の中空のサポート棒を設置し、前記サポート棒内には、収容槽を設置し、前記サポート棒には、連接台を設置し、前記連接台は、前記収容槽と貫通し、前記ベースには、進水管を貫通させて設置し、
前記オゾン混合器は、前記ベースの連接台内に設置され、前記オゾン混合器の両端には、第一送水管及び第二送水管をそれぞれ接続し、前記第一送水管は、前記連接台へと貫通し、
前記オゾン発生器は、前記ベースの収容設置空間内に設置され、前記オゾン発生器には、第一進気管及び第一出気管を設置し、前記第一出気管は、前記オゾン混合器に通じ、
前記超音波振動ユニットは、前記ベースの連接台内に設置され、前記超音波振動ユニットには、共振器を設置し、前記連接台に突出し、
前記回路制御ユニットは、前記ベースの収容設置空間内に設置され、前記回路制御ユニットは、前記オゾン発生器及び前記超音波振動ユニットにそれぞれ電気的に連接し、前記回路制御ユニットには、制御スイッチを設置し、
前記回路制御ユニットは別に、第一電磁バルブ及び第二電磁バルブをそれぞれ電気的に連接し、前記第一電磁バルブは、両端を設置し、一端が、前記オゾン混合器の第二送水管と相互に通じ、他端が、前記ベースの進水管と相互に通じ、前記第二電磁バルブには、出水管を設置し、前記連接台と相互に通じ、前記回路制御ユニットには、水位スイッチを設置し、前記連接台に突出し、
前記霧化ユニットは、前記連接台内に設置され、前記霧化ユニットには、中空の作用槽を設置し、前記霧化ユニットには、排気口を設置し、前記作用槽と貫通し、
前記進気ユニットは、前記ベースの収容設置空間内に設置され、前記回路制御ユニットに電気的に連接し、第二進気管を、前記ベース外に設置し、前記第二出気管を前記連接台へと貫通させて設置し、
前記浄水ポットは、前記ベース上に設置され、前記出水管の下方に位置させ、前記浄水ポット内には、ろ過部品を設置することを特徴とする、超音波オゾン水霧化処理二段階分離式浄水器。
【請求項２】
前記ベース上には、定位槽を設置することを特徴とする、請求項１に記載の超音波オゾン水霧化処理二段階分離式浄水器。
【請求項３】
前記回路制御ユニットには、電源プラグを設置することを特徴とする、請求項１に記載の超音波オゾン水霧化処理二段階分離式浄水器。
【請求項４】
前記連接台内縁には、ワッシャーを嵌めて設置することを特徴とする、請求項１に記載の超音波オゾン水霧化処理二段階分離式浄水器。
【請求項５】
前記進水管上には、ろ芯を設置することを特徴とする、請求項１に記載の超音波オゾン水霧化処理二段階分離式浄水器。
【請求項６】
前記排気口内には、活性炭を設置することを特徴とする、請求項１に記載の超音波オゾン水霧化処理二段階分離式浄水器。
【請求項７】
前記連接台の底部には、開口を設け、
前記超音波振動ユニットは、前記開口の下方位置に設置されることを特徴とする、請求項１に記載の超音波オゾン水霧化処理二段階分離式浄水器。
【請求項８】
前記超音波振動ユニットには、水位探知部品を設置するとともに、前記連接台において突出することを特徴とする、請求項１に記載の超音波オゾン水霧化処理二段階分離式浄水器。
【請求項９】
前記進気ユニットは気圧ポンプであることを特徴とする、請求項１に記載の超音波オゾン水霧化処理二段階分離式浄水器。
【考案の詳細な説明】
【技術分野】
【０００１】
本考案は超音波オゾン水霧化処理二段階分離式浄水器に関し、特にオゾン水は超音波振動を経て霧化され、水に含まれる有毒物質及び細菌を除去し、オゾン水を分解してオゾンミストとし、美白、空気清淨に用い、さらに浄水ポットを通して、不純物、重金属、石灰及び塩素をろ過し、飲用水とする超音波オゾン水霧化処理二段階分離式浄水器に関する。
【背景技術】
【０００２】
一般に市販されている浄水ポット構造には、2008年8月1日に公告された特許文献１の「浄水ポット結構改良」がある。それは、ポット体、内殼、蓋体及びろ芯を備える。前記した構造は、簡単に水を加えることができ、ほこりが入ること及び水垢の注水口内縁への付着を防ぎ、ろ芯の交換日時を表示でき、しかもより安全にろ過と浄水を行うことができる。
【０００３】
しかし、現在の飲用水は、水質検査において、人体に有害な総トリハロメタン、亜硝酸性窒素等有毒物質の含有がしばしば発見される。そのうち、総トリハロメタンは、水に塩素を加えて消毒した後の、有機物との反応物で、心臓病、不妊症、膀胱ガン、肝臓ガン等疾病を引き起こす恐れがある。亜硝酸性窒素は、乳児の呼吸を速め、変性血色蛋白血症を引き起こし、皮膚に青紫色の斑紋を生じさせる恐れがある。しかし、上記した特許文献１の浄水ポットは、ただ単純に水中の不純物をろ過することができるだけで、有毒物質を確実に除去することはできず、飲用の安全性を達成することは難しい。
【０００４】
一方、2009年11月1日公告の特許文献２は「電動加圧式ろ過ポット」を開示している。それは、定位台、電動加圧装置、ろ過器、ポット本体を備え、電動加圧装置を操作してバブルポンプの伝動を駆動する。これにより、空気は、定位台を経てポット本体に入り、ポット本体内の水は空気圧を受け、ろ過器の各ろ過層を迅速に通過し、より良いろ過効果を達成する。各ろ過層は、セラミック片ろ過層、中空糸膜ろ過層、竹炭添加重金属除去剤ろ過フィルターろ過層、イオン交換樹脂顆粒ろ過層、銅亜鉛合金顆粒ろ過層、亜硫酸カルシウム顆粒ろ過層、アルカリ性微量元素鉱石顆粒ろ過層、パワーストーン顆粒ろ過層、抗菌銀イオン不織布ろ過層を備える。
【０００５】
上記した特許文献２は、多くのろ過層を設置している。しかし、すべてろ過器中に設置されるため、水の浸透率は良くない。また電動加圧方式を利用するとしても、その効果には限界がある。しかも、製品価格が非常に高価であるため、普及が難しく、一般の消費者にとっては受け入れがたい。
本考案は、従来の浄水器の上記した欠点に鑑みてなされたものである。
【先行技術文献】
【特許文献】
【０００６】
【特許文献１】台湾実用新案登録第M337330号
【特許文献２】台湾実用新案登録第M367746号
【考案の概要】
【考案が解決しようとする課題】
【０００７】
本考案が解決しようとする課題は、オゾン水は超音波振動を経て霧化され、水に含まれる有毒物質及び細菌を除去し、オゾン水を分解してオゾンミストとし、美白、空気清淨に用い、さらに浄水ポットを通して、不純物、重金属、石灰及び塩素をろ過し、飲用水とする超音波オゾン水霧化処理二段階分離式浄水器を提供することである。
【課題を解決するための手段】
【０００８】
上記課題を解決するため、本考案に係る超音波オゾン水霧化処理二段階分離式浄水器は、ベース、オゾン混合器、オゾン発生器、超音波振動ユニット、回路制御ユニット、霧化ユニット、進気ユニット、浄水ポットを備え、該ベース内部には、収容設置空間を設置し、該ベース外縁には、少なくとも１個の中空のサポート棒を設置し、該サポート棒内に、収容槽を設置し、該サポート棒は、連接台を設置し、該連接台は、該収容槽と貫通し、該ベースには、進水管を貫通させて設置し、該オゾン混合器は、該ベースの連接台内に設置し、該オゾン混合器の両端には、第一送水管及び一第二送水管をそれぞれ接続し、該第一送水管は、該連接台へと貫通し、該オゾン発生器は、該ベースの収容設置空間内に設置し、該オゾン発生器には、第一進気管及び第一出気管を設置し、該第一出気管は、該オゾン混合器に通じ、該超音波振動ユニットは、該ベースの連接台内に設置し、該超音波振動ユニットには、共振器を設置し、該連接台に突出し、該回路制御ユニットは、該ベースの収容設置空間内に設置し、該回路制御ユニットは、該オゾン発生器及び該超音波振動ユニットにそれぞれ電気的に連接し、該回路制御ユニットには、制御スイッチを設置し、該回路制御ユニットは別に、第一電磁バルブ及び第二電磁バルブをそれぞれ電気的に連接し、該第一電磁バルブは、両端を設置し、該第一電磁バルブの一端は、該オゾン混合器の第二送水管と相互に通じ、該第一電磁バルブのもう一端は、該ベースの進水管と相互に通じ、該第二電磁バルブには、出水管を設置し、該連接台と相互に通じ、該回路制御ユニットには、水位スイッチを設置し、該連接台に突出し、該霧化ユニットは、該連接台内に設置し、該霧化ユニットには、中空の作用槽を設置し、該霧化ユニットには、排気口を設置し、該作用槽と貫通し、該進気ユニットは、該ベースの収容設置空間内に設置し、該回路制御ユニットに電気的に連接し、第二進気管を、該ベース外に設置し、該第二出気管を設置し、該連接台へと貫通させ、該浄水ポットは、該ベース上に置き、該出水管の下方に位置させ、該浄水ポット内には、ろ過部品を設置し、該ベース上には、定位槽を設置し、該回路制御ユニットには、電源プラグを設置し、該連接台内縁には、ワッシャーを嵌めて設置し、該進水管上には、ろ芯を設置し、該排気口内には、活性炭を設置し、該連接台の底部には、開口を設置し、該超音波振動ユニットは、該開口の下方位置に設置し、該超音波振動ユニットには、水位探知部品を設置し、該連接台において突出し、該進気ユニットは、気圧ポンプである。
【考案の効果】
【０００９】
本考案の超音波オゾン水霧化処理二段階分離式浄水器は、オゾン水を超音波を利用し振動させ、霧化後に、水中の総トリハロメタン、亜硝酸性窒素等有毒物質を効果的に除去し、飲用水の安全性と衛生性を確保することができる。また、本考案中のオゾン水を霧化後に発生するオゾンミストは、收集して、美容美白及び空気清淨の用途に用いることができる。さらに、本考案において、霧化分解後に、浄水ポットを経てろ過され、得られる飲用水は、完全も一切の有毒物質を含んでいないため、安心して飲用でき、人体に対して完全に無害で、しかも健康に有益である。加えて、本考案は浄水ポットのろ過を組み合わせることで、超音波振動を経たオゾン水に、二段階式のろ過を行なうことができる。
【図面の簡単な説明】
【００１０】
【図１】本考案の立体分解図である。
【図２】本考案の組合せ断面図である。
【図３】本考案の使用模式図である。
【図４】本考案ベース内での進水及び進気方向を示す模式図である。
【図５】本考案ベース内でのオゾン水及びオゾンミスト流動方向を示す模式図である。
【図６】本考案において、導管を利用しオゾンミストを収集して美容美白に使用する様子を示す模式図である。
【考案を実施するための形態】
【００１１】
以下に図面を参照しながら本考案を実施するための最良の形態について詳細に説明する。
【００１２】
図１、２に示すように、本考案は、ベース1、オゾン混合器2、オゾン発生器3、超音波振動ユニット4、回路制御ユニット5及び霧化ユニット6を備える。
【００１３】
ベース1の内部には、収容設置空間11を設置する。ベース1上には、定位槽12を設置し、ベース1外縁には、４本の中空のサポート棒13を上方へと延伸する。サポート棒13内には収容槽14を設置する。各サポート棒13の頂点端には、連接台15を設置する。連接台15は、各収容槽14と貫通し、連接台15内縁には、ワッシャー16を嵌めて設置する。連接台15底部には、開口17を設置し、ベース1外縁には、進水管18を貫通させて設置し、進水管18上には、ろ芯19を設置する。
【００１４】
オゾン混合器2は、ベース1の連接台15内に設置し、オゾン混合器2の両端には、第一送水管21及び第二送水管22をそれぞれ接続し、第一送水管21は、連接台15を貫通して突出する。
【００１５】
オゾン発生器3は、ベース1の収容設置空間11内に設置する。オゾン発生器3には、第一進気管31及び第一出気管32を設置し、第一進気管31は、貫通してベース1外に設置し、第一出気管32は、収容槽14を通過して、オゾン混合器2に通じる。
【００１６】
超音波振動ユニット4は、ベース1連接台15 の開口17下方位置に設置し、超音波振動機能を提供することができる。超音波振動ユニット4には、共振器41を設置し、それは連接台15を貫通して突出する。超音波振動ユニット4には、水位探知部品42を設置し、同様に連接台15を貫通して突出する。
【００１７】
回路制御ユニット5は、ベース1の収容設置空間11内に設置し、オゾン発生器3及び超音波振動ユニット4にそれぞれ電気的に連接し、その作動を制御する。回路制御ユニット5は、外部の交流或いは直流電源に接続する。本実施例では、電源プラグ51を設置し、家庭用電源に接続することができる。また、回路制御ユニット5別に、多段階式の制御スイッチ52を設置し、回路制御ユニット5への電源の導通を制御する。
【００１８】
回路制御ユニット5は、第一電磁バルブ53及び第二電磁バルブ54に電気的に連接する。第一電磁バルブ53は、両端を設置し、内一端は、オゾン混合器2の第二送水管22と相互に通じ、もう一端はベース1の進水管18と相互に通じる。第二電磁バルブ54には、出水管55を設置し、連接台15と相互に通じる。第二電磁バルブ54は、出水管55の導通或いは中断を制御する。
【００１９】
回路制御ユニット5は、水位スイッチ56を設置し、それは連接台15を貫通して突出する。水位スイッチ56は、回路制御ユニット5を制御し、進水の時間計測を始めさせる。
【００２０】
霧化ユニット6は、連接台15に蓋をするように設置する。霧化ユニット6には、中空の作用槽61を設置し、霧化ユニット6には排気口62を設置し、作用槽61と貫通する。排気口62内には、活性炭63を設置する。
【００２１】
進気ユニット7は、ベース1の収容設置空間11内に設置し、回路制御ユニット5に電気的に連接する。進気ユニット7は、気圧ポンプで、第二進気管71を設置し、それは貫通しベース1外に設置し、第二出気管72を設置し、それは収容槽14を通過して、連接台15を貫通して突出する。
【００２２】
浄水ポット8は、図３に示すように、ベース1の定位槽12上に設置し、出水管55の下方位置に位置する。浄水ポット8内には、ろ過部品81を設置する。
【００２３】
使用時には、図３に示すように、霧化ユニット6を連接台15に被せて設置し、連接台15内のワッシャー16を利用し、霧化ユニット6の周縁を密着させる。これにより、霧化ユニット6内の作用槽61は、密閉空間を形成し、進水管18は外部の水源に接続し(図４に示す図中の実線矢印は進水方向を示す)、ろ芯19を利用して、水中の不純物をろ過する。さらに、制御スイッチ52を押し、第一電磁バルブ53、オゾン発生器3及び超音波振動ユニット4を起動する。これと同時に、回路制御ユニット5は、進水時間の計測を開始する。
【００２４】
第一電磁バルブ53は起動されると、導通状態を呈し、これにより水分は順番に進水管18、第一電磁バルブ53、第二送水管22及びオゾン混合器2を通過する。また、オゾン発生器3は作動を始め、第一進気管31を通して、空気をオゾン発生器3内に導引し、オゾンを発生させる(図４に示す図中の点線矢印は進気方向を示す)。それが発生するオゾンは、第一出気管32を経てオゾン混合器2に送られ、水中に溶解し、オゾン水を形成する。オゾン水はさらに、第一送水管21を経て、霧化ユニット6の作用槽61内に送られる(図５に示す図中の実線矢印はオゾン水流動方向を示す)。
【００２５】
水位が水位スイッチ56を超えると、超音波振動ユニット4を制御し、それは作動を始める。超音波振動ユニット4の共振器41は、オゾン水に対して超音波振動を発生し、霧化水を形成する。霧化の過程において、オゾン水を霧化して微小分子とし、オゾン水中に含まれる総トリハロメタン、亜硝酸性窒素等有毒物質は、揮発させられ除去され、除臭、殺菌の機能を達成する。こうして、オゾンミスト及び飲用水を分解して発生し、オゾンミストは、排気口62から排出される(図５参照)。
【００２６】
さらに、同時に進気ユニット7を起動し、第二進気管71より進気し、第二出気管72より作用槽61内に送り込む。こうして、霧化により排出された気体を随時補充することができる。気体排出の過程において、活性炭63を利用し、オゾンの味を除去し、さらに導管Bを利用して、オゾンミストを收集し、美容美白の用途に用いることができる(図６参照)。
【００２７】
同時に、振動の過程において、水位が水位探知部品42の高度より低くなると、振動を停止する。また、進水及び超音波振動が設定時間に達すると、回路制御ユニット5は、超音波振動ユニット4を制御して振動を停止させ、飲用水の供給を開始する。さらに、ろ過部品81を備える浄水ポット8を、ベース1上の定位槽12内に置き、出水管55の下方位置に位置させる。回路制御ユニット5により、第二電磁バルブ54を自動制御し、出水管55を導通させる。これにより、作用槽61内の飲用水は、出水管55から排出され、排出された水は、さらに浄水ポット8を経て水中の不純物、石灰、重金属及び塩素を除去され、水中のミネラル分は保留される。こうして、二段式のろ過機能を発揮し、飲用水の安全性と衛生性を確保することができる。
【００２８】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００２９】
本考案は実用新案の要件である新規性を備え、従来の同類製品に比べ十分な進歩性を有し、実用性が高く、社会のニーズに合致しており、産業上の利用価値は非常に大きい。
【符号の説明】
【００３０】
１    ベース
１１  収容設置空間
１２  定位槽
１３  サポート棒
１４  収容槽
１５  連接台
１６  ワッシャー
１７  開口
１８  進水管
１９  ろ芯
２    オゾン混合器
２１  第一送水管
２２  第二送水管
３    オゾン発生器
３１  第一進気管
３２  第一出気管
４    超音波振動ユニット
４１  共振器
４２  水位探知部品
５    回路制御ユニット
５１  電源プラグ
５２  制御スイッチ
５３  第一電磁バルブ
５４  第二電磁バルブ
５５  出水管
５６  水位スイッチ
６    霧化ユニット
６１  作用槽
６２  排気口
６３  活性炭
７    進気ユニット
７１  第二進気管
７２  第二出気管
８    浄水ポット
８１  ろ過部品
Ｂ    導管
【図１】
0003164212.tif 000003
【図２】
0003164212.tif 000004
【図３】
0003164212.tif 000005
【図４】
0003164212.tif 000006
【図５】
0003164212.tif 000007
【図６】
0003164212.tif 000008